(57)【要約】  第１の無線リソースの使用レベルを検出し、該第１の無線リソースの使用レベルが所定の閾値を上回っている場合にフラグがシステム情報内で設定される。システム情報は、ネットワークに対して更新される。【選択図】      図４
2014509135.tif 000002
【特許請求の範囲】
【請求項１】
通信ネットワークにおける第１の無線リソースの使用レベルを検出する段階と、
前記第１の無線リソースの使用レベルが所定の閾値を上回っている場合に、システム情報内でフラグを設定する段階と、
前記ネットワークに対して前記システム情報を更新する段階と、
前記更新されたシステム情報内の前記フラグが設定されている場合に、ユーザ装置による前記第１の無線リソースへのアクセスを制限することを要求する段階と、
を含む、方法。
【請求項２】
前記フラグを設定する段階が、第２の無線リソースの使用が所定の閾値を下回っていることを必要とする、請求項１に記載の方法。
【請求項３】
前記フラグを格納する段階を更に含む、請求項１又は２に記載の方法。
【請求項４】
前記更新されたシステム情報内の前記フラグが設定されていない場合に前記第１の無線リソースを選択する段階と、
前記更新されたシステム情報内の前記フラグが設定されている場合に第２の無線リソースを選択する段階と、
を更に含む、請求項１又は２に記載の方法。
【請求項５】
前記フラグが設定されている場合に、アクセスがユーザ装置の所定のクラスに制限される、請求項１から４の何れかに記載の方法。
【請求項６】
アクセスを制限する前記段階が、前記ユーザ装置のクラスを通知する段階を含む、請求項５に記載の方法。
【請求項７】
アクセスを制限する前記段階が、前記ユーザ装置においてランダムな数を選び出して、該ランダムな数が所定の閾値を下回っている場合に、前記ユーザ装置が第２の無線リソースを使用する必要があるようになる段階を含む、請求項１から６の何れかに記載の方法。
【請求項８】
アクセスを制限する前記段階が、第２の無線リソース上で無線リソース制御メッセージを伝送する段階と、前記第１の無線リソース上で他のデータを伝送する段階とを含む、請求項１から６の何れかに記載の方法。
【請求項９】
アクセスを制限する前記段階が、データがチャネルの単一のメッセージフレームに適合する場合に、前記ユーザ装置が前記第１の無線リソース上でデータを伝送することを許可する段階を含む、請求項１から８の何れかに記載の方法。
【請求項１０】
通信ネットワーク内で第１の無線リソース及び第２の無線リソースを使用して通信するように構成されたネットワークノードであって、
前記第１の無線リソースの使用レベルを検出するように構成された検出器と、
前記使用レベルが所定の閾値を超える場合に、システム情報内でフラグを設定するように構成されたプロセッサと、
前記ネットワークに対して前記システム情報を更新し、該更新されたシステム情報内のフラグが設定されている場合に、前記ネットワーク内でのユーザ装置による前記第１の無線リソースへのアクセスを制限する要求を送信するように構成された伝送器と、
を備える、ネットワークノード。
【請求項１１】
前記プロセッサが更に、前記第２の無線リソースの使用レベルが所定の閾値を下回っている場合に、前記フラグを設定するように構成されている、請求項１０に記載のネットワークノード。
【請求項１２】
前記ネットワークノードが、制御ノードである、請求項１０又は１１に記載のネットワークノード。
【請求項１３】
前記ネットワークノードが、アクセスノードである、請求項１０又は１１に記載のネットワークノード。
【請求項１４】
前記フラグが設定されている場合には、該フラグは、前記第２の無線リソースのみを使用できることを前記ユーザ装置に通知するように構成されている、請求項１０から１３の何れかに記載のネットワークノード。
【請求項１５】
前記フラグが設定されている場合には、該フラグは、前記ユーザ装置の制限されたクラスが前記第２の無線リソースのみを使用できることを通知するように構成されている、請求項１０から１３の何れかに記載のネットワークノード。
【請求項１６】
前記伝送器が更に、前記ユーザ装置のクラスの通知を送信するように構成されている、請求項１５に記載のネットワークノード。
【請求項１７】
前記フラグが設定されている場合には、該フラグは、前記ユーザ装置がランダムな数を選び出した時に該ランダムな数が閾値を上回っている場合に前記第１の無線リソースを使用することができ、前記ランダムな数が前記閾値と等しい又は下回っている場合に前記第２の無線リソースを使用する必要があるような前記閾値を示すよう構成されている、請求項１５又は１６に記載のネットワークノード。
【請求項１８】
前記フラグが設定されている場合には、該フラグは、前記ユーザ装置が前記第２の無線リソース上で無線リソース制御メッセージを伝送すべきであり、前記第１の無線リソース上で他のデータを伝送することができることを示すように構成されている、請求項１５から１７の何れかに記載のネットワークノード。
【請求項１９】
前記フラグが設定されている場合には、データがチャネルの単一のメッセージフレームに適合する場合に前記ユーザ装置が前記第１の無線リソース上で前記データを伝送できることを示すように構成されている、請求項１５から１８の何れかに記載のネットワークノード。
【請求項２０】
第１の無線リソース及び第２の無線リソースを使用して通信するように構成されたユーザ装置であって、該ユーザ装置は、
フラグが設定されている場合に、前記第１の無線リソースの使用レベルが所定の閾値を超えていることを示すフラグを含むシステム情報を受信するように構成された受信機と、
前記フラグの設定について認知するように前記システム情報を更新するように構成されたプロセッサ、
とを備え、前記受信器が更に、前記更新されたシステム情報内の前記フラグが設定されている場合に、前記ユーザ装置による前記第１の無線リソースへのアクセスを制限する要求を受信するように構成された、ユーザ装置。
【請求項２１】
前記フラグが更に、設定されている場合には前記第２の無線リソースの使用レベルが所定の閾値を下回っていることを示す、請求項２０に記載のユーザ装置。
【請求項２２】
前記フラグが設定されていない場合に前記第１の無線リソースを選択し、前記フラグが設定されている場合に前記第２の無線リソースを選択するように構成されたスイッチを更に備える、請求項２０又は２１に記載のユーザ装置。
【請求項２３】
前記フラグを格納するように構成されたメモリを更に備える、請求項２０から２２の何れかに記載のユーザ装置。
【請求項２４】
前記スイッチが、サービスの開始時に前記第１又は第２の無線リソースを選択するように構成されている、請求項２０から２３の何れかに記載のユーザ装置。
【請求項２５】
ソフトウェアコード部分を構成するプログラムを含むコンピュータプログラム製品であって、前記ソフトウェアコード部分が、プロセッサ上で実行された時に、
通信ネットワークにおける第１の無線リソースの使用レベルを検出する段階と、
第１の無線リソースの使用レベルが所定の閾値を上回っている場合に、システム情報内でフラグを設定する段階と、
前記ネットワークに対して前記システム情報を更新する段階と、
前記更新されたシステム情報内の前記フラグが設定されている場合に、ユーザ装置による前記第１の無線リソースへのアクセスを制限することを要求する段階と、
を実行するように構成される、コンピュータプログラム製品。
【請求項２６】
前記コンピュータプログラム製品が、前記ソフトウェアコード部分を格納するコンピュータ読み取り可能媒体を備え、及び／又は前記プログラムは、前記プロセッサのメモリに直接ロード可能である、請求項２５に記載のコンピュータプログラム製品。
【発明の詳細な説明】
【技術分野】
【０００１】
本発明は、概して通信ネットワークにおける使用レベルを検出することに関する。より詳細には、本発明は、ネットワーク内の負荷分散に関する。
【背景技術】
【０００２】
多くの高速パケットアクセス（ＨＳＰＡ）エボリューション機能は、３ＧＰＰリリース７以降３ＧＰＰにおいて導入され、送信シグナリングデータレートを向上しながら、シグナリング遅延を低減する。リリース７における改良型ＣＥＬＬ＿ＦＡＣＨは、ダウンリンクに関して導入され、モバイルステーション（移動局）又はユーザ装置（ＵＥ）が、ＣＥＬＬ＿ＦＡＣＨ状態において高速ダウンリンクパケットアクセス（ＨＳＤＰＡ）をサポートすることを可能にし、これによりＵＥは、非ＣＥＬＬ＿ＤＣＨ状態においてＨＳ−ＤＳＣＨ上で共通及び専用のチャネルデータを受信することができる。ＣＥＬＬ＿ＦＡＣＨ及びＣＥＬＬ＿ＰＣＨ状態の改良型アップリンクは、アップリンクに関して３ＧＰＰリリース８において導入されて、ＵＥが、ＣＥＬＬ＿ＦＡＣＨ（及びＣＥＬＬ＿ＰＣＨ）状態においてＥ−ＤＣＨをサポートできるようになり、すなわち、ＵＥは、ＲＡＣＨの代わりにＥ−ＤＣＨ上でデータを送信することができる。
【０００３】
現在では、多くのモバイルステーションが、改良型ＣＥＬＬ＿ＦＡＣＨ並びにＣＥＬＬ＿ＦＡＣＨ及びＣＥＬＬ＿ＰＣＨ状態の改良型アップリンク機能をサポートしている。改良型ＣＥＬＬ＿ＦＡＣＨ／ＣＥＬＬ＿ＦＡＣＨ及びＣＥＬＬ＿ＰＣＨ状態の改良型アップリンク機能がネットワーク内でイネーブルにされて、ネットワークにアクセスするモバイルステーションによってサポートされている場合には、ＩＤＬＥモード又は非ＣＥＬＬ＿ＤＣＨ状態にあるモバイルステーションは、サービスを開始する時にＣＥＬＬ＿ＦＡＣＨ及びＣＥＬＬ＿ＰＣＨ状態の改良型アップリンクを使用して、レガシー３ＧＰＰリリース９９アクセス（ＲＡＣＨ）の代わりにネットワークにアクセスする。
【０００４】
しかしながら、多くのモバイルステーションが、ＣＥＬＬ＿ＦＡＣＨ及びＣＥＬＬ＿ＰＣＨ状態の改良型アップリンクを使用してネットワークにアクセスする場合に、過負荷が発生する可能性がある。
【発明の概要】
【０００５】
従って、本発明は、通信ネットワークにおける第１の無線リソースの使用レベルを検出する段階と、第１の無線リソースの使用レベルが所定の閾値を上回っている場合に、システム情報においてフラグを設定する段階と、該システム情報をネットワークに対して更新する段階と、を含む方法を提供する。システム情報が更新されると、ネットワークは、フラグの設定について、すなわちフラグがシステム情報において設定されているかどうかを認知する。
【０００６】
「フラグ」とは、システム情報に取り込まれる１若しくはそれ以上のビット、又はビットストリームを意味している。フラグが設定されている場合、すなわち、システム情報が、このような特定の１又はそれ以上のビットを含む場合、ネットワークは、第１の無線リソースが所定のレベルを上回っていることを通知される。この事例において、ネットワークは、加入者ステーションが該第１の無線リソースを使用しないこと、又は第１の無線リソースの使用を制限することを要求することができる。このことは、ネットワーク内で無線リソースを効率的に負荷分散する利点をもたらし、無線リソースの効率をより高めることができる。更に、フラグは格納され、又は読み込まれて１つの変数内に格納することができる。
【０００７】
フラグが設定されている場合、このことはまた、第２の無線リソースの使用レベルが所定の閾値を下回っており、第２の無線リソースが、第１の無線リソースの代わりに効率的に使用できるようになっていることを示している。１つの実施形態において、設定されるフラグに関する条件は、第１の無線リソースの使用レベルが、所定の閾値と等しいか又は上回っており、第２の無線リソースの使用レベルが、（ネットワーク運用事業者によって設定されている閾値と共に）別の所定の閾値と等しいか又は下回っているとすることができる。
【０００８】
好ましくは、更新されたシステム情報内のフラグが設定されていない場合には、第１の無線リソースが選択され、更新されたシステム情報内のフラグが設定されている場合には、第２の無線リソースが選択される。このことは、第１の無線リソースの使用レベルが、設定されている若しくは構成されている所定のレベルに達している又は超えていることをフラグが示している場合には、第２の無線リソースを代わりに使用できるので、第１の無線リソースの過負荷を回避するという利点をもたらす。
【０００９】
更に、加入者ステーションによる第１の無線リソースへのアクセスは、更新されたシステム情報内のフラグが設定されている場合に制限することができる。このようにして、ネットワーク内の加入者ステーションは、使用レベルが所定のレベルに達している場合に、第１の無線リソースの更なる過負荷を回避ことができる。
【００１０】
加入者ステーションによる第１の無線リソースへのアクセスは、幾つかの異なる手段を使用して制限することができる。
【００１１】
例えば、アクセスは、フラグが設定されている場合に、加入者ステーションの所定のクラスに制限することができる。この事例においては、第１の無線リソースへのアクセスが制限されている加入者ステーションのクラスについての通知を送ることができる。
【００１２】
代替として、又はこれに加えて、アクセスは、加入者ステーションにおいてランダムな数を選び出すことによって制限することができる。ランダムな数が所定の閾値を下回っている場合に、加入者ステーションは、第１の無線リソースを使用することができないが、代わりに第２の無線リソースを使用することができる。
【００１３】
或いは、アクセスは、特定の無線リソース制御メッセージ（例えば接続要求）又は特定の無線リソース制御メッセージのセットを第２の無線リソース上で伝送し、他のユーザデータを第１の無線リソース上で伝送することによって、第１の無線リソースに制限することができる。
【００１４】
第１の無線リソースへのアクセスはまた、データがチャネルの単一のメッセージフレームに適合する場合にのみ、加入者ステーションが第１の無線リソース上でデータを伝送することを許可することによって制限することができる。データが、単一のメッセージフレームよりも大きい場合には、加入者ステーションは、代わりに第２の無線リソース上でデータを伝送することができる。
【００１５】
例えば、フラグが設定されている場合には、例えば、ＲＲＣ接続要求又はセル更新に関する各ＲＲＣメッセージが、（ＰＲＡＣＨ／ＦＡＣＨメッセージ部分に完全に適合する場合に）レガシーのリリース９９共通チャネルアクセスを使用して伝送する必要があり、一方、他のあらゆるユーザデータは、共通Ｅ−ＤＣＨを使用してアクセスして伝送する必要があることをＵＥに通知することができる。
【００１６】
更に、本発明は、通信ネットワーク内で第１の無線リソース及び第２の無線リソースを使用して通信するように構成されたネットワークノードを提供する。ネットワークノードは、第１の無線リソースの使用レベルを検出するための検出器を含む。使用レベルが、所定のレベルを超過している場合にシステム情報内でフラグを設定するためのプロセッサが提供され、伝送器は、システム情報をネットワークに対して更新するように構成された。このことは、第１の無線リソースが過負荷となっているかどうかを容易に検出することができ、これに応じて第１の無線リソースと第２の無線リソースとの間の負荷分散を調整できるという利点をもたらす。このようにして、より高い無線リソース効率を達成することができる。例えば、第１の無線リソースは、ＣＥＬＬ＿ＦＡＣＨ及びＣＥＬＬ＿ＰＣＨ状態の改良型アップリンクに関して使用されるチャネルとすることができ、第２の無線リソースは、３ＧＰＰリリース９９ランダムアクセスチャネルとすることができる。ＣＥＬＬ＿ＦＡＣＨ及びＣＥＬＬ＿ＰＣＨ状態の機能改良型アップリンクに割り当てられているリソースが過負荷になっている場合には、代わりにリリース９９ランダムアクセスチャネルを効率的に使用することができる。
【００１７】
１つの実施形態において、プロセッサは、第１の無線リソースの使用レベルが所定の閾値を上回っており、第２の無線リソースの使用レベルが所定の閾値を下回っている場合にのみフラグを設定する。
【００１８】
ネットワークノードは、制御ノード（例えば、無線ネットワーク制御装置（ＲＮＣ））、又はアクセスノード（例えば、基地局若しくはノードＢ）とすることができる。ネットワークノードがＲＮＣである事例において、ＲＮＣは、例えば、１つのセル内又は共通Ｉｕｂリソース上でＣＥＬＬ＿ＦＡＣＨ及びＣＥＬＬ＿ＰＣＨ状態の機能改良型アップリンクによって使用される共通チャネルの過負荷を検出し、次いで、これに応じてシステム情報内で１又は複数のフラグを設定することができる。或いは、ネットワークノードがノードＢである場合には、ノードＢは、その制御（例えば、ＳＩＢ７）下のブロードキャストリソースに対して１又は複数のフラグを独立して設定することができる。
【００１９】
１つの実施形態において、フラグが設定されている場合には、該フラグは、第２の無線リソースのみを使用できることを加入者ステーションに通知するように構成された。このようにして、フラグが設定され、第１の無線リソースの使用レベルが所定のレベルに達していることを加入者ステーションに通知する場合には、加入者ステーションは、第２の無線リソースに切り替えることができる。このことは、第１の無線リソースの過負荷を回避すると共に、ネットワーク内での各無線リソースとの間の負荷分散をより効率的にするという利点をもたらす。
【００２０】
別の実施形態において、フラグが設定されている場合には、該フラグは、加入者ステーションの制限されたクラスが第２の無線リソースのみを使用できることを通知するように構成された。このため、加入者ステーションのクラスの通知は、フラグが設定されたときにフラグと組み合わせてネットワークノードから送信することができ、伝送器は更に、加入者ステーションの制限されたクラスの通知を送信するように構成することができる。加入者ステーション又はユーザ装置（ＵＥ）クラスは、例えば、ＵＥアクセスクラス、ＵＥアクセスサービスクラス、Ｍ２Ｍ通信のみをサポートしているＵＥ、ユーザクラスとすることができる。
【００２１】
フラグは、閾値を示すように構成することができる。加入者ステーションがランダムな数を選び出し、ランダムな数が閾値を上回っている場合には、第１の無線リソースを使用することができ、ランダムな数が閾値と等しいか又は下回っている場合には、第２の無線リソースを使用する必要がある。
【００２２】
更なる実施形態において、フラグが設定されている場合には、該フラグは、加入者ステーションが特定の無線リソース制御メッセージ（例えば接続要求）又は特定の無線リソース制御メッセージのセットを第２の無線リソース上で伝送すべきであり、ユーザデータを第１の無線リソース上で伝送することができることを通知するように構成することができる。更に、複数のフラグは、システム情報内で設定することができる。例えば、各ＲＲＣ制御メッセージに関して１つのフラグが存在することができ、該フラグが設定されている場合に、第２の無線リソース、例えばリリース９９共通チャネルアクセスを使用すべきであることを示す。この事例において、ＲＲＣ接続要求メッセージに関して１つのフラグが存在し、ＣＥＬＬ  ＵＰＤＡＴＥメッセージに関して１つのフラグが存在する。
【００２３】
或いは及び／又はこれに追加して、フラグが設定されている場合には、該フラグは、データがチャネルの単一のメッセージフレームに適合する場合に、加入者ステーションが第１の無線リソース上でデータを伝送できることを通知するように構成することができる。或いは、データは、第１の無線リソースの代わりに第２の無線リソース上で伝送することができる。
【００２４】
本発明は、第１の無線リソース及び第２の無線リソースを使用して通信するように構成された加入者ステーションを提供する。加入者ステーションは、フラグが設定されている場合に、第１の無線リソースの使用レベルが所定の閾値を超えていることを示すフラグを含むシステム情報を受信するように構成された受信機を含む。プロセッサは、フラグの設定について認知するようにシステム情報を更新するよう構成された。例えば、非ＣＥＬＬ＿ＤＣＨ状態にある加入者ステーションは、１又は複数のフラグの設定について認知するようにシステム情報を更新しなければならないようにすることができる。このようにして、加入者ステーションは、第１の無線リソースの使用レベルが所定のレベルに達しているかどうかを認知し、これに応じて、各無線リソースとの間で効率的な負荷分散を実行することができる。
【００２５】
好ましくは、フラグが設定されていない場合に第１の無線リソースを選択するように構成され、フラグが設定されている場合に第２の無線リソースを選択するように構成されたスイッチが提供される。該スイッチは、例えば単一のセル更新のシグナリングを含むアクティビティ又はサービスの開始時に第１又は第２の無線リソースを選択するように構成することができる。このようにして、加入者ステーションは、第１の無線リソースの使用レベルが所定のレベルに達している場合に第２の無線リソースを使用することができ、無線リソース過負荷の回避とネットワークリソースの効率的な負荷分散という利点をもたらす。
【００２６】
加入者ステーションはまた、フラグを格納するように構成されたメモリを含むことができる。更に、加入者ステーションは、１つの変数においてフラグを読み取って格納するように構成することができる。
【００２７】
本発明の更なる態様において、コンピュータプログラム製品が提供される。コンピュータプログラム製品は、ソフトウェアコード部分を備えたプログラムを含み、該ソフトウェアコード部分は、プロセッサ上で実行された時に、通信ネットワークにおける第１の無線リソースの使用レベルを検出する段階と、第１の無線リソースの使用レベルが所定の閾値を上回っている場合に、システム情報内でフラグを設定する段階と、システム情報をネットワークに対して更新する段階とを実行するように適切に配置される。
【００２８】
コンピュータプログラム製品は、ソフトウェアコード部分を格納したコンピュータ読み取り可能媒体を含むことができ、及び／又は、プログラムは、プロセッサのメモリに直接ロード可能である。プロセッサは、ネットワークノード、例えばＲＮＣ又はノードＢ内で提供することができる。
【００２９】
次に、本発明を具体的な実施形態及び添付図面を例証として参照しながら説明する。
【図面の簡単な説明】
【００３０】
【図１】本発明の実施形態による通信ネットワークの簡易概略図である。
【図２】本発明の実施形態によるネットワークノードの簡易概略図である。
【図３】本発明の実施形態による加入者ステーションの簡易概略図である。
【図４】本発明の実施形態による方法を例示するメッセージフロー図である。
【図５】本発明の実施形態による方法を例示するフロー図である。
【発明を実施するための形態】
【００３１】
図１は、通信ネットワークの無線アクセスネットワーク（ＲＡＮ）部分を示している。以下の事例においては、ＵＴＲＡＮネットワークを説明し例示する。しかしながら、本発明の実施形態は、如何なる無線通信ネットワーク、例えばＬＴＥネットワークにも適用することができる。
【００３２】
ネットワークは、Ｉｕｂインタフェース上で無線ネットワーク制御装置（ＲＮＣ）Ｒ１によって制御されるノードＢ  ＮＢ１を含む。ＲＮＣ  Ｒ１は、図２に示され、伝送器Ｔを含む伝送／受信ユニットを含む。更に、ＲＮＣ  Ｒ１は、共通Ｅ−ＤＣＨ及びＲＡＣＨ無線リソースの使用レベルを検出するための検出器Ｄ、及び検出した共通Ｅ−ＤＣＨ及びＲＡＣＨ使用レベルがネットワークによって設定された特定のレベルを超える場合にシステム情報内でフラグを設定するためのプロセッサを含む。
【００３３】
加入者ステーション又はユーザ装置（ＵＥ）１は、ノードＢ  ＮＢ１を経由してネットワークにアクセスすることができる。ＵＥ１は、アップリンク内のＣＥＬＬ＿ＦＡＣＨ及びＣＥＬＬ＿ＰＣＨ状態の機能改良型アップリンク、並びにレガシー（３ＧＰＰリリース９９）のＲＡＣＨ伝送において定められる高速ランダムアクセスチャネルを使用することができる。ＵＥ１が、アップリンクデータ伝送に関してＣＥＬＬ＿ＦＡＣＨ及びＣＥＬＬ＿ＰＣＨ状態の機能改良型アップリンクを使用する場合には、これは、ＵＥ１がＣＥＬＬ＿ＦＡＣＨ状態において数百バイトのデータを容易に伝送することができるという恩恵をもたらす。ＣＥＬＬ＿ＤＣＨ状態を経由してこのようなデータを送信するには、約１００から２００ｍｓを要する可能性があるＣＥＬＬ＿ＦＡＣＨ状態からの状態遷移が発生することになるので、著しく長い時間がかかる可能性がある。更に、状態遷移に関するシグナリングオーバヘッドは、データがＣＥＬＬ＿ＦＡＣＨ状態において送信することができる場合には回避される。更に、数百バイトのデータの複数要素を送信することは、ＰＲＡＣＨ／ＴＡＣＨ上の容量がかなり制限されているので、レガシーのＲＡＣＨではかなり非効率である。結果として、データは、小さいパケットに分割して伝送する必要がある。従って、複数ランダムアクセスしてユーザデータを伝送することは、レガシーのチャネルを使用するとかなり時間がかかる可能性がある。
【００３４】
ＣＥＬＬ＿ＦＡＣＨ及びＣＥＬＬ＿ＰＣＨ状態の改良型アップリンクをサポートしているＵＥ１はまた、（セル変更又は周期的更新を含む）ＣＥＬＬ＿ＵＰＤＡＴＥ、ＲＲＣ  ＣＯＮＮＥＣＴＩＯＮ  ＲＥＱＵＥＳＴ、他のような制御シグナリングに関するＣＥＬＬ＿ＦＡＣＨ及びＣＥＬＬ＿ＰＣＨ状態の改良型アップリンクを使用する。これらの制御メッセージは、一般に単一のＰＲＡＣＨ／ＲＡＣＨ伝送のメッセージ部分内で伝送できる程小さいものである。この事例において、ユーザデータの伝送は、リリース９９ランダムアクセス、又はＣＥＬＬ＿ＦＡＣＨ及びＣＥＬＬ＿ＰＣＨ状態の改良型アップリンクを使用してほとんど同様に高速で行うことができる。
【００３５】
ＵＥ１は、図３により詳細に示され、受信機Ｒを含む伝送ユニットを有する。ＵＥ１はまた、ＵＥ１を異なる無線リソース間で、すなわちＣＥＬＬ＿ＦＡＣＨ及びＣＥＬＬ＿ＰＣＨ状態の改良型アップリンクとレガシーのランダムアクセス（ＲＡＣＨ）無線リソースとの間で切り替えることを可能にするプロセッサＰ及びスイッチＳを含む。メモリＭは、ネットワークによってＵＥ１に対して更新されたシステム情報を格納するように構成された。
【００３６】
１又は複数のフラグがＲＮＣ  Ｒ１によってシステム情報（ＢＣＣＨ）に取り込まれ、負荷分散の理由によりユーザ及び／又は制御データ伝送に関してＣＥＬＬ＿ＦＡＣＨ及びＣＥＬＬ＿ＰＣＨ状態の改良型アップリンク手続き及び／又は３ＧＰＰリリース９９共通チャネルアクセス（ＲＡＣＨ）を使用することをネットワークがＵＥ１に対して要求することを、ＣＥＬＬ＿ＦＡＣＨ及びＣＥＬＬ＿ＰＣＨ状態の改良型アップリンクが利用可能なＵＥ１に対して通知する。
【００３７】
ネットワーク作動中の無線リソースの負荷分散が、図４のメッセージフロー図及び図５のフロー図に示されている。
【００３８】
ステップＳ１において、ＣＥＬＬ＿ＦＡＣＨ及びＣＥＬＬ＿ＰＣＨ状態の機能改良型アップリンクに割り当てられたリソース上の過負荷が存在する場合には、ＲＮＣ  Ｒ１は、共通Ｅ−ＤＣＨチャネルの使用レベルがネットワークによって設定される所定の閾値を超える場合に、１つのセル内又は共通のＩｕｂリソース上の共通Ｅ−ＤＣＨチャネルの過負荷を検出する。このような過負荷が、ＲＮＣ  Ｒ１によって検出された場合、ステップＳ２において、ＲＮＣ  Ｒ１は、システム情報内で１又は複数のフラグを設定する。フラグは、複数の値を取ることができるビットストリームであり、ＲＮＣ  Ｒ１は、システム情報内で特定の値を有するビット又はビットシーケンスを含むことによって、システム情報（ＢＣＣＨ）内で１又は複数のフラグを設定する。ステップＳ３において、システム情報は、ＲＮＣ  Ｒ１からネットワークに送信され、ＵＥ１は、１つの変数内のフラグを読み取って格納し、システム情報を更新する。非ＣＥＬＬ＿ＤＣＨ状態にあるＵＥは、システム情報を更新し、従って１又は複数のフラグの設定について認知するようにしなければならない。フラグが設定されているか否か（ステップＳ４）に応じて、ＵＥ１は、リリース９９共通チャネルを選択し、又はＣＥＬＬ＿ＦＡＣＨ及びＣＥＬＬ＿ＰＣＨ状態の機能改良型アップリンクを使用してアクセスする。例えば、フラグがステップＳ４において設定されている場合には、ＵＥ１は、サービスを開始してＲＲＣ接続要求及びＣＥＬＬ  ＵＰＤＡＴＥメッセージを送信する時に、リリース９９ＲＡＣＨを選択する（ステップＳ５）。フラグが設定されていない場合には、ＵＥ１は、サービスを開始する時に、ＣＥＬＬ＿ＦＡＣＨ及びＣＥＬＬ＿ＰＣＨ状態の機能改良型アップリンクを選択する（ステップＳ６）。
【００３９】
１つの実施形態において、フラグが設定されている場合に、ＵＥ１は、リリース９９共通チャネルアクセスネットワークのみを使用するように制限し、フラグが設定されていない場合に、ＵＥ１は、ＣＥＬＬ＿ＦＡＣＨ及びＣＥＬＬ＿ＰＣＨ状態の機能改良型アップリンクで与えられる共通チャネルアクセスネットワークのみを使用するように制限する。
【００４０】
１つの実施形態において、ＲＮＣ  Ｒ１は、ＵＥクラス通知を送信する。ＵＥクラス通知と組み合わせてフラグが設定されている場合には、リリース９９共通チャネルアクセスのみを使用するようにＵＥのクラスを制限する。ＵＥクラスの実施例としては、ＵＥアクセスクラス、ＵＥサービスアクセスクラス、Ｍ２Ｍ通信のみをサポートしているＵＥ、ユーザクラスがある。
【００４１】
１つの実施形態において、フラグが設定されている場合には、該フラグは閾値を示す。ＵＥ１は、ランダムな数を選び出し、このランダムに選び出した数が閾値を下回っている場合には、ＵＥ１は、リリース９９共通チャネルを使用してネットワークにアクセスする必要がある。ランダムに選び出した数が、閾値と等しいか又は上回っている場合には、ＵＥ１は、ＣＥＬＬ＿ＦＡＣＨ及びＣＥＬＬ＿ＰＣＨ状態の機能改良型アップリンクの共通チャネルを使用してネットワークにアクセスする。
【００４２】
１つの実施形態において、フラグが設定されている場合には、セル更新に関する各ＲＲＣメッセージ又はＲＲＣメッセージの選択したグループ（例えばＲＲＣ接続要求の）は、ＰＲＡＣＨ／ＲＡＣＨメッセージ部分に完全に適合する場合に、レガシーのリリース９９共通チャネルアクセスを使用して伝送する必要があり、一方、他のあらゆるデータは、ＣＥＬＬ＿ＦＡＣＨ及びＣＥＬＬ＿ＰＣＨ状態の機能改良型アップリンクの共通チャネルを使用して伝送する必要があることをＵＥ１に示す。
【００４３】
代替形態として、フラグはまた、リリース９９共通チャネルアクセスが使用すべき各ＲＲＣ制御メッセージに関して存在することができる。言い換えると、ＲＲＣ接続要求メッセージに関して１つのフラグが存在し、ＣＥＬＬ  ＵＰＤＡＴＥメッセージに関して別のフラグが存在する。このことは、負荷分散に関してより細分性をもたらすことができる。
【００４４】
１つの実施形態において、フラグがシステム情報内の１つの１ビット又はそれ以上のように設定されている場合には、フラグは、データが１つのＲＡＣＨメッセージフレームに適合する程に小さい限り、ＵＥがどのようなデータも送信できることを示す。
【００４５】
フラグの設定の意味に関する上記の代替形態は、単独で、又は互いに組み合わせて用いることができる。
【００４６】
本明細書で上記に説明した本発明の目的において、以下の点に留意されたい。
ソフトウェアコード部分として実行することができ、（例えば、デバイス、装置、及び／又はそのモジュールの事例として、或いは装置、及び／又はそのモジュールを含むエンティティの事例として）ネットワーク制御要素又は端末においてプロセッサを使用して実行される方法段階は、ソフトウェアコードに依存せず、本方法の段階によって定められる機能が確保される限り既知の又は今後開発されるプログラミング言語を使用して具現化することができる。
概して、あらゆる方法の段階は、実行される機能に関して実施形態及びその修正形態の概念を変えることなく、ソフトウェアとして又はハードウェアによって実行されるのに適している。
上記で定められた装置又はその何れかのモジュール（例えば、上述のような実施形態による装置の機能を実行するデバイス）におけるハードウェア構成要素として実行することができる方法の段階、及び／又はデバイス、ユニット、或いは手段は、ハードウェアに依存せず、ＭＯＳ（金属酸化膜半導体）、ＣＭＯＳ（相補型ＭＯＳ）、ＢｉＭＯＳ（バイポーラＭＯＳ）、ＢｉＣＭＯＳ（バイポーラＣＭＯＳ）、ＥＣＬ（エミッタ結合論理）、ＴＴＬ（トランジスタトランジスタ論理）、その他のような既知の若しくは今後開発されるハードウェア技術、又はこれらの何れかを組み合わせたものを使用して、例えば、ＡＳＩＣ（特定用途集積回路）構成要素、ＦＰＧＡ（フィールドプログラム可能ゲートアレイ）構成要素、ＣＰＬＤ（コンプレックスプログラム可能論理デバイス）構成要素、又はＤＳＰ（デジタルシグナルプロセッサ）構成要素を使用して実行することができる。
デバイス、ユニット、又は手段（例えば、上記の装置及びネットワークデバイス、又はそれぞれのユニット／手段のうちの何れか１つ）は、別個のデバイス、ユニット、又は手段として実行することができるが、このことは、デバイス、ユニット、又は手段の機能が確保される限り、システム全体にわたって分散型形態で実行されることを除外するものではない。
装置は、半導体チップ、チップセット、又はこのようなチップ又はチップセットを備える（ハードウェア）モジュールによって表すことができるが、このことは、装置又はモジュールの機能が、ハードウェアで実行されるのではなく、プロセッサ上で実行／動作するための実行可能ソフトウェアコード部分を含むコンピュータプログラム又はコンピュータプログラム製品のような（ソフトウェア）モジュール内のソフトウェアとして実行される可能性を除外するものではない。
デバイスは、例えば、機能的に互いに連携するか、又は互いに機能的に独立しているが同じデバイスハウジング内にあるかにかかわらず、装置として又は１つよりも多い装置の集合体とみなすことができる。
概して、上記の態様によるそれぞれの機能ブロック又は要素は、それぞれの部品の上述の機能を実行するようにのみ適合されている場合には、ハードウェア及び／又はソフトウェアそれぞれにおいてあらゆる既知の手段によって実行できる点に留意すべきである。言及された方法段階は、別個の機能ブロックにおいて又は別個のデバイスによって実現することができ、或いは、方法の段階の１又はそれ以上は、単一の機能ブロックにおいて又は単一のデバイスによって実現することができる。
【００４７】
概して、あらゆる方法段階は、本発明の概念を変更することなく、ソフトウェアとして又はハードウェアによって実行されるのに適している。デバイス及び手段は、個別のデバイスとして実行することができるが、これは、デバイスの機能が確保される限り、システム全体にわたって分散型形態で実行されることを除外するものではない。このような及び類似の基本的性質は、当業者には周知とみなされるはずである。
【００４８】
本明細書で記載される「ユーザ装置（ＵＥ）」、「加入者ステーション」、及び「モバイルステーション」という用語は、携帯電話、ポータブルコンピュータ、モバイルブロードバンドアダプタ、デバイスをモバイルネットワークに接続することを可能にするためのＵＳＢスティック、他を含む、如何なるモバイル又はステーショナリデバイスをも指すことができる。
【００４９】
本発明は、特定の実施形態を参照して上記で説明したが、このような実施形態に限定されるものではなく、当業者であれば、特許請求の範囲として本発明の範疇にある別の代替形態を想起するであろう。
【図１】
2014509135.tif 000003
【図２】
2014509135.tif 000004
【図３】
2014509135.tif 000005
【図４】
2014509135.tif 000006
【図５】
2014509135.tif 000007
【国際調査報告】
2014509135.tif 000008
2014509135.tif 000009
2014509135.tif 000010